(57)【要約】  電気機械のステータは、ステータ鉄心構造１０１と、ステータ鉄心構造によって機械的に支持された複数のステータコイル１０２ａ〜１０２ｆを備えるステータ巻線とを備える。各ステータコイルは、複数の導電体と、該複数の導電体の長手方向に冷却流体を導くための冷却管１０３とを備える。ステータは、ステータ鉄心構造との熱伝導性の機械的接点を有する冷却要素１０４ａ〜１０４ｃを備える。複数の冷却要素は、冷却流体を導くための複数のチャネルを備え、ステータコイルの複数の冷却管は、複数の冷却要素を介して互いに接続されている。複数の冷却要素は、ステータ鉄心構造からの鉄損によって生じる熱を冷却流体に伝達する。さらに、複数の冷却要素は、複数のステータコイルの複数の冷却管の間に冷却流体を導くためのマニホールドとして作用する。【選択図】図１ａ
2021519565.tif 000002
【特許請求の範囲】
【請求項１】
電気機械のステータ（１００）であって、前記ステータ（１００）は、
ステータ鉄心構造（１０１）と、
前記ステータ鉄心構造に機械的に支持された複数のステータコイル（１０２ａ〜１０２ｆ）を備えるステータ巻線とを備え、
前記複数のステータコイルの各々は、導電体と、前記導電体の長手方向に冷却流体を導くための冷却管（１０３）とを備える、電気機械のステータ（１００）において、
前記ステータは、前記ステータ鉄心構造との熱伝導性の機械的接点を有する複数の冷却要素（１０４ａ〜１０４ｃ）を更に備え、前記複数の冷却要素は、前記冷却流体を導くためのチャネル（１０５ａ）を備え、前記複数のステータコイルの前記冷却管が、前記複数の冷却要素を介して互いに接続されていることを特徴とする電気機械のステータ（１００）。
【請求項２】
前記ステータは、ラジアル磁束の電気機械のステータである、請求項１に記載のステータ。
【請求項３】
前記ステータ鉄心構造（１０１）は、前記ステータ鉄心構造を通して軸線方向に延びかつ前記複数の冷却要素（１０４ａ〜１０４ｃ）を収容する複数の空洞を備える、請求項２に記載のステータ。
【請求項４】
前記複数の空洞は、前記ステータ鉄心構造のヨーク部にある複数の軸線方向溝であり、前記複数の冷却要素（１０４ａ〜１０４ｃ）は、前記ステータ鉄心構造の空隙面とは反対を向く表面上にある複数の冷却フィン（１０６）を備える、請求項３に記載のステータ。
【請求項５】
前記複数の冷却要素のうちの１つ以上の冷却要素の前記チャネル（１０５ａ）は、前記冷却流体を前記ステータ鉄心構造の第１の端部から前記ステータ鉄心構造の第２の端部に軸線方向に導き、前記冷却流体を前記ステータ鉄心構造の前記第２の端部から前記ステータ鉄心構造の前記第１の端部に戻すように成形されている、請求項２〜４のいずれかに記載のステータ。
【請求項６】
前記ステータ鉄心構造（１０１）は、複数のステータ歯（１０９ａ、１０９ｂ、１１０ａ、１１０ｂ）と、前記複数のステータコイルのコイル側面を収容する複数のステータスロットとを備える、請求項１〜５のいずれかに記載のステータ。
【請求項７】
前記複数のステータコイルの各々は、前記複数のステータ歯の１つのみを包囲している、請求項６に記載のステータ。
【請求項８】
前記複数のステータ歯は、前記ステータコイルの形状を変えることなく前記複数のステータ歯のそれぞれのステータを包囲するように前記ステータコイルを押し込んで各ステータコイルを設置できるように成形されている、請求項７に記載のステータ。
【請求項９】
前記複数のステータ歯は、各々が前記複数のステータコイルのうちの１つのステータコイルによって包囲されている第１のステータ歯（１０９ａ、１０９ｂ）と、各々が前記複数のステータコイルのうちの隣接するステータコイル同士の間にある第２のステータ歯（１１０ａ、１１０ｂ）とを備え、
前記ステータ鉄心構造（１０１）は、前記ステータ鉄心構造を通して軸線方向に延びておりかつ前記複数の冷却要素を収容する複数の空洞を備え、前記複数の冷却要素は、少なくとも部分的に前記第２のステータ歯の内側に位置し、前記第２のステータ歯の各々は、対応する冷却要素の両側において２つの分岐（１１１、１１２）を有する、請求項７又は８に記載のステータ。
【請求項１０】
前記複数の冷却要素（１０４ａ〜１０４ｃ）は、前記ステータの軸線方向に垂直な幾何学的平面に沿って、前記ステータ鉄心構造の空隙面に向かって先細りの断面を有する、請求項９に記載のステータ。
【請求項１１】
前記複数の冷却要素の少なくとも１つの冷却要素は、前記ステータの外部から前記冷却流体を受け入れるための第１のパイプ・インターフェイス（１１４）を備え、前記複数の冷却要素の少なくとも１つの他の部分は、前記ステータから前記冷却流体を送出するための第２のパイプ・インターフェイス（１１５）を備える、請求項１〜１０のいずれかに記載のステータ。
【請求項１２】
各ステータコイルは、前記ステータコイルの冷却管（１０３）によって構成される細長い導体要素（１１９）と、前記冷却管を包囲するように配置される一束の導線（１１６）とを備える、請求項１〜１１のいずれかに記載のステータ。
【請求項１３】
前記ステータコイルの前記複数の冷却管はステンレス製である、請求項１〜１３のいずれかに記載のステータ。
【請求項１４】
前記複数の冷却要素は、アルミニウム又は銅のいずれかからなる、請求項１〜１３のいずれかに記載のステータ。
【請求項１５】
前記ステータは、前記複数の冷却要素を前記ステータコイルの前記複数の冷却管に接続する複数の接続管（１０８、１０７）を備える、請求項１〜１４のいずれかに記載のステータ。
【請求項１６】
請求項１〜１５のいずれかに記載のステータ（１００）と、前記ステータに対して回転可能に支持されたロータ（１２０）とを備える電気機械。
【請求項１７】
前記電気機械は、ラジアル磁束のインナーロータ型の機械であり、前記ステータの前記複数の冷却要素は、前記ステータ鉄心構造のヨーク部分にある複数の軸線方向溝に配置されており、前記複数の冷却要素は、前記ステータ鉄心構造の空隙面から離れて対向する面において複数の冷却フィンを備え、前記ロータは、ステータボアを通して気体を押し込むための送風機（１２１）を備え、前記電気機械は、前記複数の冷却フィンを備える前記複数の冷却要素の前記面に沿って、気体を前記送風機に循環させるように気体を案内するための機械構造（１２２）を備える、請求項１６に記載の電気機械。
【発明の詳細な説明】
【技術分野】
【０００１】
本発明は、一般に、回転電気機械の冷却に関する。より詳細には、本発明は、電気機械のステータに関する。さらに、本発明は、電気機械に関する。
【背景技術】
【０００２】
電気モータや発電機などの回転電気機械では、電気機械のロータの電磁的にアクティブ部分とステータとの間に磁束が展開される。ラジアル磁束電気機械において、最大トルクは、空隙半径と、空隙面の面積と、空隙内の磁束密度と、ステータの空隙面における直線電流密度の積に比例する。従って、電気機械の機械的寸法を増大させることなく、鉄の飽和点を超えた場合には磁束密度をそれ以上実用上増大させることができないので、直線電流密度を増大させることによって最大トルクを増大させることができる。しかしながら、直線電流密度を増加させると、電気機械の巻線における抵抗損失が増加する。一方、トルクを不変に保ちながら回転数を上げることにより、電気機械の機械的動力を増大させることができる。したがって、高い電力対寸法の比を有する電気機械は、典型的には高速機械である。しかしながら、回転速度を増加させると、ステータ鉄心構造における磁場の交流周波数が増加し、それによって、鉄損、すなわちヒステリシス及び特に渦電流損が高速機械では著しくなる可能性がある。従って、冷却は回転電気機械の動作において重要な役割を果たす。
【０００３】
電気機械のステータ巻線を冷却する有効な方法は、冷却液が巻線の導電体に接触する、又は、少なくともその近傍に接触する、液体冷却である。従来、ステータ巻線の液体冷却は、ステータコイルの導電体を中空にして冷却液を導電体内部に流すことができる大型ターボ発電機と併せて使用されている。
【０００４】
例えば、特許文献１（ウクライナ特許出願公開第７３６６１号公報）には、電気機械の液体冷却式ステータが開示されている。ステータは、水素冷却を備えた磁心構造と、冷却液のための中空バーを備えた三相巻線とを備える。水素冷却は、一般に、大型ターボ発電機以外の電気機械には不適当であるか、少なくとも費用的に有効ではない。従って、ステータ鉄心構造と同様にステータ巻線に対しても液冷を配置するのに適した技術的解決策が必要とされている。
【０００５】
また、特許文献２（米国特許第３１５７８０６号明細書）は、ステータ及びロータを有する同期電気機械を記載している。ステータは、ステータ鉄心構造と、ステータ鉄心構造によって機械的に支持される複数のステータコイルとを備える複数のステータ巻線とを備える。複数のステータコイルの各々は、複数の導電体と、該複数の導電体の長手方向に冷却流体を導くための冷却チャネルとを備える。ステータは、ステータ鉄心構造との熱伝導性の機械的接点を有し、冷却流体を導くための複数のチャネルを備える複数の冷却要素をさらに備える。
【０００６】
また、特許文献３（米国特許出願公開第２０１３／０２８５４８７号明細書）は、集中巻を有する電気機械のステータを記載している。巻線は、冷却流体を複数のコイルの導電体の長手方向に導くための複数の管状冷却チャネルを備えるコイルを備える。
【０００７】
また、特許文献４（米国特許出願公開第２００６／０１４５５４８号明細書）は、絶縁モールドを用いて成形されるコイル及び冷却パイプを備えるステータコイルモジュールを記載している。液体冷却分配ユニットは、電気機械の軸線方向端部にあり、冷却液をステータコイルモジュールに供給する。
【０００８】
また、特許文献５（米国特許出願公開第２００９／０２６１６６８号明細書）には、液冷式電気機械の外面で使用するステータの冷却要素が記載されている。
【０００９】
また、特許文献６（英国特許第８５１４０９号明細書）は、水冷式ステータ積層体及び巻線を有し、その巻線にマニホールドを介して液体が供給される電気機械を記載している。
【００１０】
また、特許文献７（英国特許第８９３８４７号明細書）は、電気機械の軸線方向端部でマニホールドを介して液体が供給される水冷式ステータ巻線を有する電気機械を記載している。
【先行技術文献】
【特許文献】
【００１１】
【特許文献１】ウクライナ特許出願公開第７３６６１号公報
【特許文献２】米国特許第３１５７８０６号明細書
【特許文献３】米国特許出願公開第２０１３／０２８５４８７号明細書
【特許文献４】米国特許出願公開第２００６／０１４５５４８号明細書
【特許文献５】米国特許出願公開第２００９／０２６１６６８号明細書
【特許文献６】英国特許第８５１４０９号明細書
【特許文献７】英国特許第８９３８４７号明細書
【発明の概要】
【００１２】
以下において、様々な発明の実施形態のいくつかの態様の基本的な理解を提供するために、簡略化された要約を提示する。この要約は、本発明の広範な概要ではない。本発明の重要な要素又は重大な要素を特定することも、本発明の範囲を明示することも意図しない。以下の要約は、単に、本発明の実施形態を例示するより詳細な説明のための予備手段として簡略化された形で本発明のいくつかの概念を提示するに過ぎない。
【００１３】
本明細書では、接頭語として使用した場合の「幾何学的(geometric)」という語は、必ずしもいかなる物理的物体の一部ではない幾何学的概念を意味する。幾何学的概念は、例えば、幾何学的点、直線状又は曲線状の幾何学的線、幾何学的平面、平坦でない幾何学的表面、幾何学的空間、又は、ゼロ次元、一次元、二次元又は三次元である任意の他の幾何学的本質であり得る。
【００１４】
本発明によれば、新規な電気機械用のステータが提供される。本発明によるステータは、ステータ鉄心構造と、前記ステータ鉄心構造によって機械的に支持された複数のステータコイルとを備えるステータ巻線とを備える。
【００１５】
ステータコイルの各々は、導電体と、冷却流体を該導電体の長手方向に伝導させるための冷却管とを備える。ステータは、ステータ鉄心構造との熱伝導性の機械的接点を有する複数の冷却要素をさらに備える。複数の冷却要素は、冷却流体を導くためのチャネルを備え、ステータコイルの複数の冷却管は、複数の冷却要素を介して互いに接続されている。
【００１６】
上記の複数の冷却要素は、ステータ鉄心構造からの鉄損によって生じる熱を冷却流体に伝達することができる。さらに、複数の冷却要素は、複数のステータコイルの複数の冷却管の間に冷却流体を導くためのマニホールドとして作用する。
【００１７】
本発明によれば、新規な電気機械も提供する。本発明による電気機械は、本発明に係るステータと、ステータに対して回転自在に支持されるロータとを備える。
【００１８】
本発明の例示的かつ非限定的な実施形態による電気機械は、ラジアル磁束のインナーロータ型の機械であり、複数の冷却要素は、ステータ鉄心構造のヨーク部分の複数の軸線方向溝に配置され、複数の冷却要素は、ステータ鉄心構造の空隙面とは反対を向いている表面において複数の冷却フィンを備える。ロータは、例えば、空隙を介して及び／又はロータの複数の軸線方向冷却チャネルを介して空気又は他の気体を押し込むための送風機の複数の翼を備えることができ、電気機械は、上記の複数の冷却フィンを備える複数の冷却要素の表面に沿って空気又は他の気体を送風機に戻して循環するように、空気又は他の気体を案内するための機械構造を備えることができる。この例示的な場合において、複数の冷却要素は、ステータ鉄心構造だけでなく、ロータを冷却する空気又は他の気体を冷却するように配置される。
【００１９】
本発明の例示的かつ非限定的な実施形態は、添付の従属請求項に記載されている。
【００２０】
本発明の様々な例示的かつ非限定的な実施形態は、構造及び動作方法の両方に関して、付加的な目的及びその利点とともに、添付図面を参照して読まれると、特定の例示的かつ非限定的な実施形態の以下の説明から最もよく理解されるであろう。
【００２１】
本明細書では、「備える(to comprise)」及び「含む、有する(to include)」という動詞は、引用されていない特徴の存在を排除又は必要としない開放限界として使用される。従属請求項に記載されている特徴は、特に明示的に記載されない限り、相互に自由に組み合わせ可能である。さらに、本明細書全体を通して、「ａ」又は「ａｎ」、すなわち、単数形の使用は、複数を排除しないことを理解すべきである。
【００２２】
本発明の例示的かつ非限定的な実施例、並びにそれらの利点を、例示的な意味で、添付図面を参照して、以下により詳細に説明する。
【図面の簡単な説明】
【００２３】
【図１ａ】図１ａは、本発明の非限定的な実施形態を例示する電気機械の等角図である。
【図１ｂ】図１ｂは、本発明の例示的かつ非限定的な実施形態を例示する電気機械の等角図である。
【図１ｃ】図１ｃは、図１ａ及び１ｂに示す電気機械の端面図である。
【図１ｄ】図１ｄは、図１ａ及び１ｂに示す電気機械の端面図である。
【図１ｅ】図１ｅは、図１ａ〜１ｄに示す電気機械の冷却要素を示す。
【図１ｆ】図１ｆは、図１ａ〜１ｄに示す電気機械の冷却要素を示す。
【図１ｇ】図１ｇは、図１ａ〜１ｄに示す電気機械に作用する磁束を例示する電気機械の断面図を示す。
【図１ｈ】図１ｈは、図１ａ〜１ｄに示す電気機械のステータコイルを構成する細長い導体要素の断面図である
【図２】図２は、本発明の例示的かつ非限定的な実施形態に係る電気機械の概略図を示す。
【発明を実施するための形態】
【００２４】
以下に示す具体例は、添付の特許請求の範囲及び／又は適用可能性を限定するものとして解釈すべきではない。以下の説明に記載されている例のリスト及びグループは、特に明示的に記載されていない限り網羅的ではない。
【００２５】
図１ａ及び図１ｂは、本発明の例示的かつ非限定的な実施形態による電気機械の等角図を示す。図１ｃ及び図１ｄは、電気機械の端面図を示す。図１ａ〜１ｄに関連する視方向は、座標系１９９で示されている。電気機械は、本発明の例示的かつ非限定的な実施形態によるステータ１００と、ステータ１００に対して回転可能に支持されるロータ１２０とを備える。
【００２６】
ロータ１２０の回転軸線は、座標系１９９のｚ軸と平行である。ロータ１２０を回転自在に支持するための軸受配置は図１ａ〜１ｄには示されていない。ステータ１００は、強磁性材料からなる、又は、少なくとも備える、強磁性鉄心構造１０１を備える。強磁性鉄心構造１０１は、例えば、互いに電気的に絶縁され、電気機械の軸線方向、すなわち、座標系１９９のｚ方向に積み重ねられた強磁性シートの積層体を備えうる。
【００２７】
ステータ１００は、ステータ鉄心構造１０１によって機械的に支持される複数のステータコイル１０２ａ、１０２ｂ、１０２ｃ、１０２ｄ、１０２ｅ、１０２ｆを備えるステータ巻線を備える。複数のステータコイル１０２ａ〜１０２ｆの各々は、複数の導電体と、冷却流体を導電体の長手方向に導くための冷却管とを備える。図１ａ及び図１ｂでは、ステータコイル１０２ａの冷却管には参照番号１０３が付けられている。各ステータコイルは、例えば、冷却管によって構成される、適切な巻数の細長い導体要素と、例えば、冷却管の断面が細長い導体要素の断面のほぼ中央に位置するように、冷却管を包囲するように配置される導線の束とを備えうる。図１ｈは、上述した種類の細長い導体要素１１９の概略断面を示す。導線の束は、参照番号１１６を付けられている。導線の束は、例えば、１００〜２００本の銅ストランドを備えうる。例示的な場合には、束はリッツ線からなる。この例示的な場合では、導線の束の各導線は、それ自体、ねじられた、又は織られた細いフィラメントの束である。電気機械の供給周波数が低い場合には、ステータコイルを構成する細長い導体要素は、導線の束の代わりに、１つ以上の導体棒を備えうる。また、各ステータコイルは、冷却管が導電体の巻の中にあるように、１つ以上の巻の冷却管のと、異なる数の巻の導電体とを備えることも可能である。ステータコイルの冷却管は、例えばステンレス鋼などの鋼で作ることができる。
【００２８】
ステータ１００は、ステータ鉄心構造１０１への熱伝導性の機械的接点を有する複数の冷却要素を備える。図１ａ、１ｃ及び１ｄにおいて、３つの冷却要素に、参照番号１０４ａ、１０４ｂ、１０４ｃが付けられている。これら冷却要素は、冷却流体を導くための複数のチャネルを備え、複数のステータコイル１０２ａ〜１０２ｆの複数の冷却管は、複数の冷却要素を介して互いに接続されている。したがって、冷却流体が、複数のステータコイル１０２ａ〜１０２ｆの複数の冷却要素及び複数の冷却管の両方を介して流れるように配置されている。したがって、複数の冷却要素は、ステータ鉄心構造１０１からの鉄損によって生じる熱を冷却流体に伝達することができる。さらに、複数の冷却要素は、複数のステータコイル１０２ａ〜１０２ｆの複数の冷却管の間に冷却流体を導くためのマニホールドとして作用する。また、各ステータコイルが、複数の導電体の間に２つ以上の冷却管を備えることも可能である。この例示的な場合において、各ステータコイルは、複数の冷却要素に接続される４つ以上の管端を備える。冷却要素は、例えば、アルミニウム、銅、又は、高い熱伝導率を有する他の適切な材料で作ることができる。図１ａ〜１ｄに示す例示的なステータは、複数の冷却要素を複数のステータコイル１０２ａ〜１０２ｆの複数の冷却管に接続するように配置された複数の接続管を備える。図１ａ、１ｂ及び１ｄにおいて、２つ接続管が参照番号１０７及び１０８で示されている。接続管は、有利には、電気的に非導電性であり、接続管は、例えば、ポリマーで作ることができる。
【００２９】
図１ａ〜１ｄに示す例示的なステータ１００は、ステータ鉄心構造１０１は、ステータ鉄心構造１０１を通して軸線方向に延びておりかつ複数の冷却要素を収容する複数の空洞を備える。しかしながら、複数の冷却要素がステータ鉄心構造１０１のヨーク部の表面に取り付けられた平坦形状の要素であることも可能である。図１ａ〜１ｄに示す例示的な場合において、複数の冷却要素のための複数の空洞は、ヨーク部分にある複数の軸線方向溝である。この例示的な場合において、複数の冷却要素は、ステータ鉄心構造１０１に対向していない面、すなわち、ステータ鉄心構造１０１の空隙面とは反対を向いている面において、複数の冷却フィンを設けることができる。図１ｂにおいて、冷却要素１０４ａの冷却フィンには、参照番号１０６が付されている。ロータ１２０には、複数の空隙を介して、及び／又は、ロータ１２０の複数の軸線方向冷却チャネルを介して、すなわち、空気又は他の気体をステータボアを通して押し込むための、送風機の複数の翼を設けることができる。更に、電気機械は、上記の複数の冷却フィンを備える複数の冷却要素の複数の表面に沿って空気又は他の気体を送風機に戻して空気又は他の気体を循環するように、空気又は他の気体を案内する機械的構造を備えることができる。この例示的な場合において、複数の冷却要素は、ステータ鉄心構造１０１だけでなく、ロータ１２０を冷却する空気又は他の気体も冷却するように配置される。上述した種類の電気機械の概略図が図２に示されており、図２では、送風機には参照番号１２１が付けられており、空気又は他の気体を案内するための機械的構造には参照番号１２２が付けられている。
【００３０】
図１ａ〜図１ｄに示す例示的なステータ１００では、冷却要素１０４ｂは、ステータの外部から冷却流体を受け入れるための第１のパイプ・インターフェイス１１４を備え、冷却要素１０４ｃは、ステータから冷却流体を送出するための第２のパイプ・インターフェイス１１５を備える。パイプ・インターフェイス１１４及び１１５は、冷却流体を循環させるための外部システムに接続することができる。しかし、２つ以上のステータコイルの複数の冷却管を、冷却流体を循環させるために外部システムに接続することも可能である。冷却システムの圧力降下を許容レベルに保つために、適切な量の並列冷却経路を配置することができる。図１ａ〜１ｄに示されている例示的なステータ１００では、並列した２つの冷却経路が存在し、これらの冷却経路は、図１ｃにおいて鎖線で示されている。
【００３１】
冷却要素１０４ａは図１ｅに示されており、冷却要素１０４ｂは図１ｆに示されている。図１ｅは、冷却要素１０４ａの断面図も示す。これに対応して、図１ｆは、冷却要素１０４ｂの断面図を示している。これらの断面は、図１ｅ及び１ｆに示される線Ａ−Ａに沿って見られ、これらの断面の平面は、座標系１９９のｘｚ面と平行である。図１ｅに示す冷却要素１０４ａは、図１ａ、１ｂ、１ｄに示すように、複数の接続管１０７、１０８を介して複数のステータコイル１０２ａ、１０２ｆの複数の冷却管に接続するためのパイプ・インターフェイス１１７ａを備えている。これに対応して、図１ｆに示す冷却要素１０４ｂは、図１ａ及び図１ｄに示すように、それぞれの接続管を介して、ステータコイル１０２ｅ及び１０２ｆの複数の冷却管に接続するための複数のパイプ・インターフェイス１１７ｂを備えている。図１ｅに示す断面図に示すように、冷却要素１０４ａは、冷却流体をステータ鉄心構造１０１の第１の端部からステータ鉄心構造の第２の端部に軸線方向に導くように成形されており、かつ、冷却流体を第２の端部から第１の端部に戻すように成形されているチャネル１０５ａを備えている。本発明の異なる実施形態による複数のステータの複数の冷却要素は、多くの方法で蛇行され及び／又はねじれを設けうる複数のチャネルを備えうる。
【００３２】
図１ｇは、図１ａ〜１ｄに示す電気機械の断面を示す。この断面は電気機械の軸線方向に垂直である。さらに、図１ｇは、電気機械に作用する磁束を例示する。図１ａ〜１ｄ及び１ｇに示す例示的なステータ１００において、ステータ鉄心構造１０１は、複数のステータ歯と、複数のステータコイル１０２ａ〜１０２ｆのコイル側面を収容する複数のステータスロットとを備える。しかしながら、上述の冷却構成を、空隙巻線を有する電気機械で使用することも可能である。
【００３３】
図１ａ〜１ｄ及び１ｇに示す例示的な場合において、ステータ巻線は、各ステータコイルの幅が、各ステータコイルがステータ歯の１つのみを包囲するような、集中した非重複の歯コイル巻線(concentrated non-overlapping tooth-coil)である。ステータ歯は、ステータコイルの形状を変更することなく、それぞれのステータ歯を包囲するようにステータコイルを押し込むことによって、各ステータコイルを設置することができるように有利に成形される。しかしながら、１磁極・１相当りのスロット数が１つ以上である非集中ステータ巻線(non-concentrated stator winding)を有する電気機械において、上述の冷却構成を使用することも可能である。
【００３４】
図１ａ〜図１ｄ及び図１ｇに示す例示的な場合において、ステータ歯は、各々が複数のステータコイルの１つによって包囲されている第１のステータ歯と、各々が複数のステータコイルの隣接するステータコイル同士の間にある第２のステータ歯とを備えている。図１ｇでは、複数の第１のステータ歯の内の２つを参照番号１０９ａ及び１０９ｂで示し、複数の第２のステータ歯の内の２つを参照番号１１０ａ及び１１０ｂで示している。図１ｇに示すように、複数の冷却要素は、少なくとも部分的に第２のステータ歯の内側に位置し、複数の第２のステータ歯の各々は、対応する冷却要素の両側において２つの分岐を有する。図１ｇにおいて、ステータ歯１１０ａの２つの分岐は、参照番号１１１、１１２が付けられている。複数の冷却要素は、ステータ鉄心構造１０１の空隙面に向かって先細りの断面を有する。図１ｇに示す機械的構成は、第２のステータ歯の２つ分岐部が磁束が冷却要素を通過できる経路を提供するので、冷却要素が、磁束を実質的に乱すことなく空隙面に向かって半径方向に延びることができる。
【００３５】
図１ａ〜１ｈを参照して上述した例示的な電気機械は、永久磁石機械である。ロータ１２０は、励起磁束を生成するための永久磁石を備える。図１ｇにおいて、複数の永久磁石の１つには、参照番号１１３が付けられている。この例示的な場合では、各永久磁石は複数片の永久磁石材料からなる。永久磁石の磁化方向を図１ｇに矢印で示す。本発明の一実施形態による電気機械は、例えば、誘導機械、同期リラクタンス機械、交換リラクタンス機械、スリップリング非同期機械、又は、電気的に励起された同期機械としうることに留意されたい。
【００３６】
図１ａ〜図１ｈを参照して上述した例示的な電気機械は、ラジアル磁束のインナーロータ型の電気機械である。本発明の一実施形態による電気機械は、例えばラジアル磁束のアウターロータ型の電気機械又はアキシャル磁束の電気機械としうることに留意されたい。
【００３７】
上記の説明に記載された具体例は、添付の特許請求の範囲の適用性及び／又は解釈を制限するものとして解釈されるべきではない。上述の説明に記載されている例のリスト及びグループは、特に明示的に記載されていない限り網羅的ではない。
【図１ａ】
2021519565.tif 000003
【図１ｂ】
2021519565.tif 000004
【図１ｃ】
2021519565.tif 000005
【図１ｄ】
2021519565.tif 000006
【図１ｅ】
2021519565.tif 000007
【図１ｆ】
2021519565.tif 000008
【図１ｇ】
2021519565.tif 000009
【図１ｈ】
2021519565.tif 000010
【図２】
2021519565.tif 000011
【手続補正書】
【提出日】令和2年3月29日(2020.3.29)
【手続補正１】
【補正対象書類名】特許請求の範囲
【補正対象項目名】全文
【補正方法】変更
【補正の内容】
【特許請求の範囲】
【請求項１】
電気機械のステータ（１００）であって、前記ステータ（１００）は、
ステータ鉄心構造（１０１）と、
前記ステータ鉄心構造に機械的に支持された複数のステータコイル（１０２ａ〜１０２ｆ）を備えるステータ巻線とを備え、
前記複数のステータコイルの各々は、導電体と、前記導電体の長手方向に冷却流体を導くための冷却管（１０３）とを備え、
前記ステータは、前記ステータ鉄心構造との熱伝導性の機械的接点を有する複数の冷却要素（１０４ａ〜１０４ｃ）を更に備え、前記複数の冷却要素は、前記冷却流体を導くためのチャネル（１０５ａ）を備え、前記複数のステータコイルの前記冷却管が、前記複数の冷却要素を介して互いに接続されている、電気機械のステータ（１００）において、
前記ステータ鉄心構造（１０１）は、前記ステータ鉄心構造を通して軸線方向に延びかつ前記複数の冷却要素（１０４ａ〜１０４ｃ）を収容する複数の空洞を備える、ことを特徴とする電気機械のステータ（１００）。
【請求項２】
前記ステータは、ラジアル磁束の電気機械のステータである、請求項１に記載のステータ。
【請求項３】
前記複数の空洞は、前記ステータ鉄心構造のヨーク部にある複数の軸線方向溝であり、前記複数の冷却要素（１０４ａ〜１０４ｃ）は、前記ステータ鉄心構造の空隙面とは反対を向く表面上にある複数の冷却フィン（１０６）を備える、請求項１に記載のステータ。
【請求項４】
前記複数の冷却要素のうちの１つ以上の冷却要素の前記チャネル（１０５ａ）は、前記冷却流体を前記ステータ鉄心構造の第１の端部から前記ステータ鉄心構造の第２の端部に軸線方向に導き、前記冷却流体を前記ステータ鉄心構造の前記第２の端部から前記ステータ鉄心構造の前記第１の端部に戻すように成形されている、請求項１〜３のいずれかに記載のステータ。
【請求項５】
前記ステータ鉄心構造（１０１）は、複数のステータ歯（１０９ａ、１０９ｂ、１１０ａ、１１０ｂ）と、前記複数のステータコイルのコイル側面を収容する複数のステータスロットとを備える、請求項１〜４のいずれかに記載のステータ。
【請求項６】
前記複数のステータコイルの各々は、前記複数のステータ歯の１つのみを包囲している、請求項５に記載のステータ。
【請求項７】
前記複数のステータ歯は、前記ステータコイルの形状を変えることなく前記複数のステータ歯のそれぞれのステータを包囲するように前記ステータコイルを押し込んで各ステータコイルを設置できるように成形されている、請求項６に記載のステータ。
【請求項８】
前記複数のステータ歯は、各々が前記複数のステータコイルのうちの１つのステータコイルによって包囲されている第１のステータ歯（１０９ａ、１０９ｂ）と、各々が前記複数のステータコイルのうちの隣接するステータコイル同士の間にある第２のステータ歯（１１０ａ、１１０ｂ）とを備え、
前記ステータ鉄心構造（１０１）は、前記ステータ鉄心構造を通して軸線方向に延びておりかつ前記複数の冷却要素を収容する複数の空洞を備え、前記複数の冷却要素は、少なくとも部分的に前記第２のステータ歯の内側に位置し、前記第２のステータ歯の各々は、対応する冷却要素の両側において２つの分岐（１１１、１１２）を有する、請求項６又は７に記載のステータ。
【請求項９】
前記複数の冷却要素（１０４ａ〜１０４ｃ）は、前記ステータの軸線方向に垂直な幾何学的平面に沿って、前記ステータ鉄心構造の空隙面に向かって先細りの断面を有する、請求項８に記載のステータ。
【請求項１０】
前記複数の冷却要素の少なくとも１つの冷却要素は、前記ステータの外部から前記冷却流体を受け入れるための第１のパイプ・インターフェイス（１１４）を備え、前記複数の冷却要素の少なくとも１つの他の部分は、前記ステータから前記冷却流体を送出するための第２のパイプ・インターフェイス（１１５）を備える、請求項１〜９のいずれかに記載のステータ。
【請求項１１】
各ステータコイルは、前記ステータコイルの冷却管（１０３）によって構成される細長い導体要素（１１９）と、前記冷却管を包囲するように配置される一束の導線（１１６）とを備える、請求項１〜１０のいずれかに記載のステータ。
【請求項１２】
前記ステータコイルの前記複数の冷却管はステンレス製である、請求項１〜１１のいずれかに記載のステータ。
【請求項１３】
前記複数の冷却要素は、アルミニウム又は銅のいずれかからなる、請求項１〜１２のいずれかに記載のステータ。
【請求項１４】
前記ステータは、前記複数の冷却要素を前記ステータコイルの前記複数の冷却管に接続する複数の接続管（１０８、１０７）を備える、請求項１〜１３のいずれかに記載のステータ。
【請求項１５】
請求項１〜１４のいずれかに記載のステータ（１００）と、前記ステータに対して回転可能に支持されたロータ（１２０）とを備える電気機械。
【請求項１６】
前記電気機械は、ラジアル磁束のインナーロータ型の機械であり、前記ステータの前記複数の冷却要素は、前記ステータ鉄心構造のヨーク部分にある複数の軸線方向溝に配置されており、前記複数の冷却要素は、前記ステータ鉄心構造の空隙面から離れて対向する面において複数の冷却フィンを備え、前記ロータは、ステータボアを通して気体を押し込むための送風機（１２１）を備え、前記電気機械は、前記複数の冷却フィンを備える前記複数の冷却要素の前記面に沿って、気体を前記送風機に循環させるように気体を案内するための機械構造（１２２）を備える、請求項１５に記載の電気機械。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
電気機械のステータ（１００）であって、前記ステータ（１００）は、
ステータ鉄心構造（１０１）と、
前記ステータ鉄心構造に機械的に支持された複数のステータコイル（１０２ａ〜１０２ｆ）を備えるステータ巻線とを備え、
前記複数のステータコイルの各々は、導電体と、前記導電体の長手方向に冷却流体を導くための冷却管（１０３）とを備え、
前記ステータは、前記ステータ鉄心構造との熱伝導性の機械的接点を有する複数の冷却要素（１０４ａ〜１０４ｃ）を更に備え、前記複数の冷却要素は、前記冷却流体を導くためのチャネル（１０５ａ）を備え、前記複数のステータコイルの前記冷却管が、前記複数の冷却要素を介して互いに接続されている、電気機械のステータ（１００）において、
前記ステータ鉄心構造（１０１）は、前記ステータ鉄心構造を通して軸線方向に延びかつ前記複数の冷却要素（１０４ａ〜１０４ｃ）を収容する複数の空洞を備える、ことを特徴とする電気機械のステータ（１００）。
【請求項２】
前記ステータは、ラジアル磁束の電気機械のステータである、請求項１に記載のステータ。
【請求項３】
前記複数の空洞は、前記ステータ鉄心構造のヨーク部にある複数の軸線方向溝であり、前記複数の冷却要素（１０４ａ〜１０４ｃ）は、前記ステータ鉄心構造の空隙面とは反対を向く表面上にある複数の冷却フィン（１０６）を備える、請求項１に記載のステータ。
【請求項４】
前記複数の冷却要素のうちの１つ以上の冷却要素の前記チャネル（１０５ａ）は、前記冷却流体を前記ステータ鉄心構造の第１の端部から前記ステータ鉄心構造の第２の端部に軸線方向に導き、前記冷却流体を前記ステータ鉄心構造の前記第２の端部から前記ステータ鉄心構造の前記第１の端部に戻すように成形されている、請求項２〜３のいずれか一項に記載のステータ。
【請求項５】
前記ステータ鉄心構造（１０１）は、複数のステータ歯（１０９ａ、１０９ｂ、１１０ａ、１１０ｂ）と、前記複数のステータコイルのコイル側面を収容する複数のステータスロットとを備える、請求項１〜３のいずれか一項に記載のステータ。
【請求項６】
前記複数のステータコイルの各々は、前記複数のステータ歯の１つのみを包囲している、請求項５に記載のステータ。
【請求項７】
前記複数のステータ歯は、前記ステータコイルの形状を変えることなく前記複数のステータ歯のそれぞれのステータを包囲するように前記ステータコイルを押し込んで各ステータコイルを設置できるように成形されている、請求項６に記載のステータ。
【請求項８】
前記複数のステータ歯は、各々が前記複数のステータコイルのうちの１つのステータコイルによって包囲されている第１のステータ歯（１０９ａ、１０９ｂ）と、各々が前記複数のステータコイルのうちの隣接するステータコイル同士の間にある第２のステータ歯（１１０ａ、１１０ｂ）とを備え、
前記ステータ鉄心構造（１０１）は、前記ステータ鉄心構造を通して軸線方向に延びておりかつ前記複数の冷却要素を収容する複数の空洞を備え、前記複数の冷却要素は、少なくとも部分的に前記第２のステータ歯の内側に位置し、前記第２のステータ歯の各々は、対応する冷却要素の両側において２つの分岐（１１１、１１２）を有する、請求項６に記載のステータ。
【請求項９】
前記複数の冷却要素（１０４ａ〜１０４ｃ）は、前記ステータの軸線方向に垂直な幾何学的平面に沿って、前記ステータ鉄心構造の空隙面に向かって先細りの断面を有する、請求項８に記載のステータ。
【請求項１０】
前記複数の冷却要素の少なくとも１つの冷却要素は、前記ステータの外部から前記冷却流体を受け入れるための第１のパイプ・インターフェイス（１１４）を備え、前記複数の冷却要素の少なくとも１つの他の部分は、前記ステータから前記冷却流体を送出するための第２のパイプ・インターフェイス（１１５）を備える、請求項１〜３のいずれか一項に記載のステータ。
【請求項１１】
各ステータコイルは、前記ステータコイルの冷却管（１０３）によって構成される細長い導体要素（１１９）と、前記冷却管を包囲するように配置される一束の導線（１１６）とを備える、請求項１〜３のいずれか一項に記載のステータ。
【請求項１２】
前記ステータコイルの前記複数の冷却管はステンレス製である、請求項１〜３のいずれか一項に記載のステータ。
【請求項１３】
前記複数の冷却要素は、アルミニウム又は銅のいずれかからなる、請求項１〜３のいずれか一項に記載のステータ。
【請求項１４】
前記ステータは、前記複数の冷却要素を前記ステータコイルの前記複数の冷却管に接続する複数の接続管（１０８、１０７）を備える、請求項１〜３のいずれか一項に記載のステータ。
【請求項１５】
請求項１〜３のいずれか一項に記載のステータ（１００）と、前記ステータに対して回転可能に支持されたロータ（１２０）とを備える電気機械。
【請求項１６】
前記電気機械は、ラジアル磁束のインナーロータ型の機械であり、前記ステータの前記複数の冷却要素は、前記ステータ鉄心構造のヨーク部分にある複数の軸線方向溝に配置されており、前記複数の冷却要素は、前記ステータ鉄心構造の空隙面から離れて対向する面において複数の冷却フィンを備え、前記ロータは、ステータボアを通して気体を押し込むための送風機（１２１）を備え、前記電気機械は、前記複数の冷却フィンを備える前記複数の冷却要素の前記面に沿って、気体を前記送風機に循環させるように気体を案内するための機械構造（１２２）を備える、請求項１５に記載の電気機械。
【国際調査報告】
2021519565.tif 000012
2021519565.tif 000013
2021519565.tif 000014